(57)【要約】【課題】  マルチモードの無線機で、受信帯域制限を行うフィルタリングの特性を簡易に変更可能とする。【解決手段】  アナログデジタル変換手段２１が受信信号をアナログ信号からデジタル信号へ変換し、検波手段２２、２３、２４ａ、２４ｂがデジタル信号へ変換された受信信号を検波し、デジタル信号処理手段２７が信号の帯域を制限するフィルタリング処理をデジタル信号処理により実行して検波結果の信号を帯域制限してデジタル信号処理により復調し、フィルタリング特性決定データ供給手段６、５２、２８がデジタル信号処理手段２７に対してフィルタリング特性を決定するデータを供給し、デジタル信号処理手段２７は供給されるデータにより決定されるフィルタリング特性のフィルタリング処理を実行する。【選択図】  図１
2006101102.tif 000002
【特許請求の範囲】
【請求項１】
受信信号を処理する無線機において、
受信信号をアナログ信号からデジタル信号へ変換するアナログデジタル変換手段と、
前記アナログデジタル変換手段によりデジタル信号へ変換された受信信号を検波する検波手段と、
信号の帯域を制限するフィルタリング処理をデジタル信号処理により実行して前記検波手段による検波結果の信号を帯域制限する機能及び当該帯域制限後の信号をデジタル信号処理により復調する機能を有したデジタル信号処理手段と、
前記デジタル信号処理手段に対して前記フィルタリング処理のフィルタリング特性を決定するデータを供給するフィルタリング特性決定データ供給手段と、を備え、
前記デジタル信号処理手段は、前記フィルタリング特性決定データ供給手段により供給されるデータにより決定されるフィルタリング特性のフィルタリング処理をデジタル信号処理により実行する、
ことを特徴とする無線機。
【発明の詳細な説明】
【技術分野】
【０００１】
本発明は、マルチモードの無線機に関し、特に、デジタル信号処理により受信帯域制限を行い、当該受信帯域制限を行うフィルタリングの特性を簡易に変更可能とした無線機に関する。
【背景技術】
【０００２】
例えば、無線の基本的な機能である帯域幅や変復調の態様をＤＳＰ（Ｄｉｇｉｔａｌ  Ｓｉｇｎａｌ  Ｐｒｏｃｅｓｓｏｒ）やＣＰＵ（Ｃｅｎｔｒａｌ  Ｐｒｏｃｅｓｓｉｎｇ  Ｕｎｉｔ）などのプロセッサ上のソフトウエアで変更することが可能なソフトウエア無線機の検討が進められている。
図４には、マルチモード無線機の受信機能に関する構成例を示してある。
本例のマルチモード無線機は、無線電波受信用のアンテナ６１と、高周波部６２と、信号処理部６３と、インタフェース部６４と、コントロール部６５と、操作端末６６を備えている。
【０００３】
高周波部６２は、受信部７１と、２個のスイッチ７２、７４と、複数の帯域制限フィルタ７３ａ、７３ｂ、・・・、７３ｃと、ＣＰＵ７５を有している。
信号処理部６３は、Ａ／Ｄ（Ａｎａｌｏｇ／Ｄｉｇｉｔａｌ）変換器８１と、オシレータ（発振器）８２と、移相器８３と、２個の乗算器８４ａ、８４ｂと、２個の低域制限フィルタ８５ａ、８５ｂと、２個のダウンコンバータ８６ａ、８６ｂと、ＤＳＰ８７と、ＣＰＵ８８を有している。
インタフェース部６４は、オーディオＤ／Ａ（Ｄｉｇｉｔａｌ／Ａｎａｌｏｇ）変換器９１と、ＣＰＵ９２を有している。
コントロール部６５は、無線制御部１０１と、ＣＰＵ１０２を有している。
【０００４】
ここで、高周波部６２には、それぞれ伝達特性が異なる複数の帯域制限フィルタ７３ａ、７３ｂ、・・・、７３ｃが備えられており、運用や設定の状況に応じて、入力側のスイッチ７２及び出力側のスイッチ７４が切り替えられて、いずれか１個の帯域制限フィルタが選択されて帯域制限に使用される。
また、信号処理部６３では、ＤＳＰ８７が、数値演算により復調処理を行う。
【０００５】
しかしながら、図４に示されるようなマルチモード無線機では、高周波部６２の帯域制限フィルタ７３ａ、７３ｂ、・・・、７３ｃについて、変調方式毎に様々な種類が要求され、また、同じ変調方式でも様々な帯域制限フィルタが要求される。このため、全ての方式に対応するフィルタを用意することは、高周波部６２の実装面積などの点で困難である。また、新たな帯域に対応させるためには、別の高周波部６２と入れ替える必要がある。
【０００６】
【特許文献１】特開２００３−１７４３９４号公報
【発明の開示】
【発明が解決しようとする課題】
【０００７】
上述のように、図４に示されるような無線機では、帯域制限処理を高周波部６２のハードウエア（Ｈ／Ｗ）により実現しており、受信帯域制限を行うフィルタリングの特性を簡易に変更することができないといった不具合があった。
なお、ソフトウエア無線機では、帯域制限処理はＤＳＰ上の数値演算により行われ、ＤＳＰの内部において、複数の帯域幅を有するフィルタバンクと、当該フィルタバンクの内でいずれを選択するかをＣＰＵからの指示により決定する切り替えスイッチにより、様々な帯域幅に対応することが可能である。しかしながら、このような構成では、新たな帯域幅に対応させるためには、ＤＳＰのプログラムの内部におけるフィルタバンクの構成を変更する必要があり、これに伴いＤＳＰのプログラムを再コンパイルする必要がある。
【０００８】
本発明は、このような従来の事情に鑑み為されたもので、デジタル信号処理により受信帯域制限を行い、当該受信帯域制限を行うフィルタリングの特性を簡易に変更することができる無線機を提供することを目的とする。
【課題を解決するための手段】
【０００９】
上記目的を達成するため、本発明に係る無線機では、次のような構成により、受信信号を処理する。
すなわち、アナログデジタル変換手段が、受信信号をアナログ信号からデジタル信号へ変換する。検波手段が、前記アナログデジタル変換手段によりデジタル信号へ変換された受信信号を検波する。デジタル信号処理手段が、信号の帯域を制限するフィルタリング処理をデジタル信号処理により実行して前記検波手段による検波結果の信号を帯域制限し、当該帯域制限後の信号をデジタル信号処理により復調する。
また、フィルタリング特性決定データ供給手段が、前記デジタル信号処理手段に対して、前記フィルタリング処理のフィルタリング特性を決定するデータを供給する。前記デジタル信号処理手段は、前記フィルタリング特性決定データ供給手段により供給されるデータにより決定されるフィルタリング特性のフィルタリング処理をデジタル信号処理により実行する。
【００１０】
従って、受信信号を帯域制限するフィルタリング処理がデジタル信号処理により行われ、当該フィルタリング処理のフィルタリング特性が供給されるデータにより決定されるため、例えば、デジタル信号処理により受信帯域制限を行うに際して、当該受信帯域制限を行うフィルタリングの特性を簡易に変更することができる。
【００１１】
ここで、受信信号としては、種々な信号が用いられてもよい。
また、受信信号の処理としては、種々な処理が用いられてもよい。
また、検波の態様としては、種々な態様が用いられてもよく、例えば、直交変調された受信信号に対して直交検波を行う態様を用いることができる。
また、復調の態様としては、種々な態様が用いられてもよく、例えば、所定の変調方式で変調された受信信号に対して当該変調方式に対応した方式で復調を行う態様を用いることができる。
また、デジタル信号処理手段としては、例えば、ＤＳＰを用いて構成することができる。
また、フィルタリング特性決定データ供給手段としては、例えば、ＣＰＵを用いて構成することができる。
【００１２】
また、受信信号を帯域制限するためのフィルタリング処理のフィルタリング特性としては、種々な特性が用いられてもよい。
また、受信信号を帯域制限するためのフィルタリング処理のフィルタリング特性を決定するデータとしては、種々なデータが用いられてもよく、例えば、フィルタリング特性を決定するフィルタ係数の値のデータをパラメータのデータとして用いることや、或いは、フィルタリング特性を決定するフィルタ係数の値を指定するデータを用いることなどができる。
また、受信信号を帯域制限するためのフィルタリング処理のフィルタリング特性を決定するデータを供給する態様としては、種々な態様が用いられてもよく、例えば、予め設定された複数のデータの中からユーザなどにより指定されたデータを供給する態様や、或いは、ユーザなどにより入力されたデータを供給する態様などを用いることができる。
【発明の効果】
【００１３】
以上説明したように、本発明に係る無線機によると、受信信号をアナログ信号からデジタル信号へ変換し、デジタル信号へ変換した受信信号を検波し、信号の帯域を制限するフィルタリング処理をデジタル信号処理により実行して当該検波結果の信号を帯域制限し、当該帯域制限後の信号をデジタル信号処理により復調するに際して、前記フィルタリング処理のフィルタリング特性を決定するデータを供給して、当該データにより決定されるフィルタリング特性のフィルタリング処理をデジタル信号処理により実行するようにしたため、例えば、デジタル信号処理により受信帯域制限を行うに際して、当該受信帯域制限を行うフィルタリングの特性を簡易に変更することができる。
【発明を実施するための最良の形態】
【００１４】
本発明に係る一実施例を図面を参照して説明する。
図１には、本発明の一実施例に係るマルチモード無線機の受信機能に関する構成例を示してある。
本例のマルチモード無線機は、ソフトウエア無線機として構成されており、無線電波受信用のアンテナ１と、高周波部２と、信号処理部３と、インタフェース部４と、コントロール部５と、操作端末６を備えている。
【００１５】
高周波部２は、受信部１１と、ＣＰＵ１２を有している。
信号処理部３は、Ａ／Ｄ変換器２１と、オシレータ（発振器）２２と、移相器２３と、２個の乗算器２４ａ、２４ｂと、２個の低域制限フィルタ２５ａ、２５ｂと、２個のダウンコンバータ２６ａ、２６ｂと、ＤＳＰ２７と、ＣＰＵ２８を有している。
また、ＤＳＰ２７は、２個の帯域制限フィルタ３１ａ、３１ｂの機能や、復調器３２の機能をデジタル信号処理により実現する。
なお、信号処理部３における２個の受信信号処理系は、それぞれ、Ｉ成分とＱ成分に対応する。
インタフェース部４は、オーディオＤ／Ａ変換器４１と、ＣＰＵ４２を有している。
コントロール部５は、無線制御部５１と、ＣＰＵ５２を有している。
【００１６】
本例のマルチモード無線機により行われる動作の一例を示す。
アンテナ１は、送信側の装置から無線により送信された信号（電波）を受信し、受信した信号を受信部２へ出力する。
受信部１１は、アンテナ１から入力される無線周波数（ＲＦ：Ｒａｄｉｏ  Ｆｒｅｑｕｅｎｃｙ）帯の受信信号を周波数変換により中間周波数（ＩＦ：Ｉｎｔｅｒｍｅｄｉａｔｅ  Ｆｒｅｑｕｅｎｃｙ）帯の受信信号へ変換してＡ／Ｄ変換器２１へ出力する。
Ａ／Ｄ変換器２１は、受信部１１から入力される受信信号をアナログ信号からデジタル信号へ変換して２個の乗算器２４ａ、２４ｂへ出力する。
なお、信号処理部３では、以降は、受信信号に対してデジタル信号処理が為される。
【００１７】
本例では、送信側で直交変調された受信信号に対して直交検波処理が行われ、一方の乗算器２４ａの側の受信信号処理系によりＩ成分が抽出されて処理され、他方の乗算器２４ｂの側の受信信号処理系によりＱ成分が抽出されて処理されるとする。
オシレータ２２は、所定の搬送波周波数の信号を発振してＩ成分用の乗算器２４ａ及び移相器２３へ出力する。
移相器２３は、オシレータ２２から入力される信号の位相を９０度遅らせてＱ成分用の乗算器２４ｂへ出力する。
【００１８】
Ｉ成分用の乗算器２４ａは、Ａ／Ｄ変換器２１から入力される受信信号とオシレータ２２から入力される信号とを乗算し、当該乗算結果をＩ成分用の低域制限フィルタ２５ａへ出力する。
Ｑ成分用の乗算器２４ｂは、Ａ／Ｄ変換器２１から入力される受信信号と移相器２３から入力される信号とを乗算し、当該乗算結果をＱ成分用の低域制限フィルタ２５ｂへ出力する。
本例では、オシレータ２２、移相器２３、２個の乗算器２４ａ、２４ｂにより直交検波処理が行われる。
【００１９】
Ｉ成分用の低域制限フィルタ２５ａは、直交検波器を構成するＩ成分用の乗算器２４ａから入力される信号のうちで、高域成分をカット（除去）して、当該カット後の信号をＩ成分用のダウンコンバータ２６ａへ出力する。
Ｑ成分用の低域制限フィルタ２５ｂは、直交検波器を構成するＱ成分用の乗算器２４ｂから入力される信号のうちで、高域成分をカット（除去）して、当該カット後の信号をＱ成分用のダウンコンバータ２６ｂへ出力する。
本例では、直交検波器を構成するオシレータ２２により発振する信号の周波数として中間周波数と同じ周波数を選択し、低域制限フィルタ２５ａ、２５ｂで高域成分をカットすると、直交検波器の後段では受信信号がベースバンド信号となる。
【００２０】
Ｉ成分用のダウンコンバータ２６ａは、Ｉ成分用の低域制限フィルタ２５ａから入力されるＩ成分の受信信号について、サンプリング周波数をＤＳＰ２７により処理が可能なサンプリング周波数にまで変換し、当該変換後の信号をＤＳＰ２７へ出力する。
Ｑ成分用のダウンコンバータ２６ｂは、Ｑ成分用の低域制限フィルタ２５ｂから入力されるＱ成分の受信信号について、サンプリング周波数をＤＳＰ２７により処理が可能なサンプリング周波数にまで変換し、当該変換後の信号をＤＳＰ２７へ出力する。
【００２１】
ＤＳＰ２７では、Ｉ成分用の帯域制限フィルタ３１ａの機能を数値演算により実現して、Ｉ成分用のダウンコンバータ２６ａから入力されるＩ成分の受信信号について帯域制限処理をデジタル信号処理で行う。
同様に、ＤＳＰ２７では、Ｑ成分用の帯域制限フィルタ３１ｂの機能を数値演算により実現して、Ｑ成分用のダウンコンバータ２６ｂから入力されるＱ成分の受信信号について帯域制限処理をデジタル信号処理で行う。
また、ＤＳＰ２７では、復調器３２の機能を数値演算により実現して、Ｉ成分用の帯域制限フィルタ３１ａの機能により帯域制限されたＩ成分の受信信号及びＱ成分用の帯域制限フィルタ３１ｂの機能により帯域制限されたＱ成分の受信信号について復調処理をデジタル信号処理で行い、当該復調結果の信号をオーディオＤ／Ａ変換器４１へ出力する。
【００２２】
オーディオＤ／Ａ変換器４１は、ＤＳＰ２７から入力される信号について、スピーカにより復調音声を出力する。
無線制御部５１は、操作端末６により設定された内容を高周波部２や信号処理部３やインタフェース部４といった各処理部へ伝達することや、これら各処理部の状態（ステータス）を管理することを、これら各処理部及び自己に設けられたＣＰＵ１２、２８、４２、５２を経由して行う。本例では、それぞれのＣＰＵ１２、２８、４２、５２は互いに通信することが可能である。
操作端末６は、無線機に関する各種の設定をユーザにより行うことを実現するマンマシンインタフェースであり、ユーザにより設定された内容を無線制御部５１へ伝達する。
【００２３】
次に、本例のＤＳＰ２７により行われる動作について詳しく説明する。
ＤＳＰ２７の動作や機能については、マルチモード無線機として使用可能な任意の変復調方式へ切り替えることが可能であり、例えば、ＣＰＵ２８とＤＳＰ２７との間で通信される制御パラメータを参照して方式を変更することや、或いは、プログラムを書き換えることによりソフトウエア的に方式を変更することが可能である。方式の変更としては、例えば、振幅変調（ＡＭ：Ａｍｐｌｉｔｕｄｅ  Ｍｏｄｕｌａｔｉｏｎ）と周波数変調（ＦＭ：Ｆｒｅｑｕｅｎｃｙ  Ｍｏｄｕｌａｔｉｏｎ）と単側波帯変調（ＳＳＢ：Ｓｉｎｇｌｅ  Ｓｉｄｅ  Ｂａｎｄ）などを切り替えることなどが可能である。
【００２４】
本例では、ＤＳＰ２７のソフトウエアを用いて帯域制限処理を行う。
具体的には、ＤＳＰ２７では、帯域制限フィルタ３１ａ、３１ｂとして、ＦＩＲ型のデジタルフィルタを実現する。ＦＩＲ型のデジタルフィルタは、現在及び過去の入力信号とフィルタ係数列との積和演算により実現され、このフィルタの特性（伝達特性や遮断特性）はフィルタ係数を変更することにより切り替えることができる。
そこで、本例では、このフィルタ係数を、ＣＰＵ２８からＤＳＰ２７へ渡す制御パラメータとして用いる。
【００２５】
図２には、ＣＰＵ２８からＤＳＰ２７へ渡す制御パラメータの一覧の一例を示してある。
例えば、変調方式に関する制御パラメータではＡＭとＦＭとＳＳＢの切り替えを行うことができ、送信受信切替に関する制御パラメータでは送信と受信の切り替えを行うことができ、フィルタ切替フラグに関する制御パラメータではフィルタ切替の有無を表すフラグ（例えば、有の場合には“１”値、無の場合には“０”値）の切り替えを行うことができ、フィルタタップ数に関する制御パラメータではフィルタのタップに関する数ＴＡＰの切り替えを行うことができ、フィルタ係数に関する制御パラメータではフィルタ係数ｈ（０）、ｈ（１）、・・・、ｈ（ＴＡＰ）の切り替えを行うことができる。
【００２６】
本例では、操作端末６などにおいてユーザなどによりフィルタ係数のデータが指定され、当該指定の内容がコントロール部５のＣＰＵ５２を経由などして信号処理部３のＣＰＵ２８により受信され、当該信号処理部３のＣＰＵ２８が当該指定の内容に対応したフィルタ係数のデータを制御パラメータとしてＤＳＰ２７に対して設定する。
ここで、フィルタ係数のデータは、例えば、操作端末６から入力されてもよく、或いは、予めコントロール部５のＣＰＵ５２や信号処理部３のＣＰＵ２８などに複数のパターンのフィルタ係数のデータが記憶されていて、この中から、パターンを識別する情報（例えば、パターン番号など）により指定されたパターンのフィルタ係数のデータが読み出されて、ＤＳＰ２７に設定されるような態様が用いられてもよい。
【００２７】
本例では、ＣＰＵ２８が管理している複数のパターンのフィルタ係数のデータ（フィルタ係数データ（１）、フィルタ係数データ（２）、・・・）の中から指定されたものを選択して、選択したフィルタ係数のデータを制御パラメータとして用いる。
ここで、それぞれのパターンのフィルタ係数データは、フィルタタップ数ＴＡＰにより決定される所定数の成分（フィルタ係数）ｈ（０）、ｈ（１）、・・・、ｈ（ＴＡＰ）の組として構成される。
【００２８】
図３には、本例のＤＳＰ２７により行われる処理の手順の一例を示してある。
ＤＳＰ２７では、例えばサンプリング周期毎に、所定のプログラムの実行を開始する。
このプログラムでは、まず、ＣＰＵ２８から制御パラメータを読み込んで（Ｒｅａｄして）、読み込んだ制御パラメータに従って、実現する動作や機能を決定する（ステップＳ１）。
この際、ＣＰＵ２８では、操作端末６からフィルタ切替の命令があった場合には、命令に該当するフィルタ係数列を選択して制御パラメータの値を更新し、フィルタ切替フラグを“１”値に設定する。
【００２９】
ＤＳＰ２７では、ＣＰＵ２８から受信した制御パラメータの内で、フィルタ切替フラグの状態を検査して、フィルタ切替の有無を判定する（ステップＳ２）。この結果、フィルタ切替フラグが“０”値である場合には、フィルタ切替が無しであるとして、変調処理や復調処理を実行する（ステップＳ３）。一方、フィルタ係数フラグが“１”値である場合には、フィルタ切替が有りであるとして、フィルタ係数の計算用の変数やバッファの値を初期値にクリア（初期化）した後に（ステップＳ４）、制御パラメータを参照してフィルタ係数用の変数ｈ（０）、ｈ（１）、・・・、ｈ（ＴＡＰ）を更新する。
【００３０】
このようにして、本例のマルチモード無線機では、ＤＳＰ２７において、フィルタ特性を切り替えることができる。
また、本例では、操作端末６によりフィルタ係数列のみを追加や展開することが可能であり、これにより、例えば、ＤＳＰ２７のプログラムを変更しなくとも、フレキシブルにフィルタリング特性を追加することなどが可能である。
【００３１】
以上のように、本例のマルチモード無線機では、複数のモードを切り替えることが可能であり、様々な機能や方式を実現することが可能な構成において、受信帯域制限処理をＤＳＰ２７のデジタル信号処理で行うことにより、そのフィルタリングの特性をフレキシブルに変更する。
具体的には、本例のマルチモード無線機は、周波数変換を行う高周波部２と、Ａ／Ｄ変換後に直交検波やダウンサンプリングや帯域制限や復調処理をデジタル処理で行う信号処理部３と、復調信号をＤ／Ａ変換して外部のスピーカへ出力する機能を有するインタフェース部４と、操作端末６からの設定を高周波部２や信号処理部３やインタフェース部４に設定するコントロール部５と、操作端末６を用いて構成される。
【００３２】
また、本例のマルチモード無線機では、信号処理を行うＤＳＰ２７のプログラムと、当該ＤＳＰ２７のプログラム上で帯域制限処理を実現するために利用される複数のフィルタリング特性に対応したフィルタ係数データをそれぞれ管理して、ＤＳＰ２７により実現するフィルタリング特性を制御パラメータにより切り替える。
従って、本例のマルチモード無線機では、受信帯域制限処理をＤＳＰ２７により行うことにより、無線機のフィルタリング特性をフレキシブルに設定や変更や追加することが可能である。
【００３３】
なお、本例のマルチモード無線機では、Ａ／Ｄ変換器２１の機能によりアナログデジタル変換手段が構成されており、オシレータ２２や移相器２３や乗算器２４ａ、２４ｂにより直交検波を行う機能により検波手段が構成されており、帯域制限フィルタ３１ａ、３１ｂの機能や復調器３２の機能を有するＤＳＰ２７の機能によりデジタル信号処理手段が構成されており、操作端末６やＣＰＵ５２、２８によりＤＳＰ２７に対してフィルタリング特性を決定するための制御パラメータのデータを供給する機能によりフィルタリング特性決定データ供給手段が構成されている。本例では、フィルタリング特性を決定するデータとして、ＦＩＲ型デジタルフィルタのフィルタ係数ｈ（１）、ｈ（２）、・・・、ｈ（ＴＡＰ）が用いられている。
【００３４】
ここで、本発明に係る無線機などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々な装置やシステムとして提供することも可能である。
また、本発明の適用分野としては、必ずしも以上に示したものに限られず、本発明は、種々な分野に適用することが可能なものである。
また、本発明に係る無線機などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００３５】
【図１】本発明の一実施例に係るマルチモード無線機の構成例を示す図である。
【図２】ＣＰＵからＤＳＰへ渡す制御パラメータの一例を示す図である。
【図３】ＤＳＰにより行われる処理の手順の一例を示す図である。
【図４】マルチモード無線機の構成例を示す図である。
【符号の説明】
【００３６】
１、６１・・アンテナ、  ２、６２・・高周波部、  ３、６３・・信号処理部、  ４、６４・・インタフェース部、  ５、６５・・コントロール部、  ６、６６・・操作端末、  １１、７１・・受信部、  １２、２８、４２、５２、７５、９２、１０２・・ＣＰＵ、  ２１、８１・・Ａ／Ｄ変換器、  ２２、８２・・オシレータ、  ２３、８３・・移相器、  ２４ａ、２４ｂ、８４ａ、８４ｂ・・乗算器、  ２５ａ、２５ｂ、８５ａ、８５ｂ・・低域制限フィルタ、  ２６ａ、２６ｂ、８６ａ、８６ｂ・・ダウンコンバータ、  ２７、８７・・ＤＳＰ、  ３１ａ、３１ｂ、７３ａ、７３ｂ、７３ｃ・・帯域制限フィルタ、  ３２・・復調器、  ４１、９１・・オーディオＤ／Ａ変換器、  ５１、１０１・・無線制御部、  ７２、７４・・スイッチ、
【図１】
2006101102.tif 000003
【図２】
2006101102.tif 000004
【図３】
2006101102.tif 000005
【図４】
2006101102.tif 000006